(57)【要約】【課題】構造が簡単で、印刷回路基板に容易に着脱することができる電磁波遮断カバー及びこれを用いる印刷回路基板モジュールを提供すること。【解決手段】本発明に係る電磁波遮断カバーは、印刷回路基板に設けられる電子部品をシールドするために用いられる。前記電磁波遮断カバーの下端には、複数のフランジ及び複数のフックが設けられる。前記フランジは、前記印刷回路基板の上面に当接する。前記フックは、前記印刷回路基板の貫通孔を貫通し、その自由端が前記印刷回路基板の底面に当止される。【選択図】図１
2012044179.tif 000002
【特許請求の範囲】
【請求項１】
印刷回路基板に設けられる電子部品をシールドするために用いられる電磁波遮断カバーであって、
前記電磁波遮断カバーの下端には、複数のフランジ及び複数のフックが設けられ、前記フランジは、前記印刷回路基板の上面に当接し、前記フックは、前記印刷回路基板の貫通孔を貫通し、且つその自由端が前記印刷回路基板の底面に当止することを特徴とする電磁波遮断カバー。
【請求項２】
前記電磁波遮断カバーは、主体板及び前記主体板の周縁から折り曲げられて形成される複数の側板を備え、前記フランジ及び前記フックは、前記主体板から離れている前記側板の一端に間隔をあけて設けられることを特徴とする請求項１に記載の電磁波遮断カバー。
【請求項３】
各前記フランジは、前記側板の自由端から外側へ折り曲げられて形成され且つ前記主体板に平行して延伸する平板状体であり、
各前記フランジの底面には、前記印刷回路基板に電気的に当止される複数の突起が設けられることを特徴とする請求項２に記載の電磁波遮断カバー。
【請求項４】
各フックは、前記側板の自由端からさらに下方へ延伸してなる延伸アームと、前記延伸アームの下端から前記主体板の外側に向かって湾曲され且つ前記延伸アームと一定の夾角をなす湾曲部と、を備え、
前記湾曲部は、弾性を有し、且つ前記延伸アームに対して収縮或いは展開することができることを特徴とする請求項２又は３に記載の電磁波遮断カバー。
【請求項５】
電磁波遮断カバー及び印刷回路基板を備える印刷回路基板モジュールであって、
前記電磁波遮断カバーの下端には、複数のフランジと、弾性圧縮可能な湾曲部を有する複数のフックと、が設けられ、
前記印刷回路基板は、対向する上面及び底面と、前記上面及び底面を貫通し且つ複数の前記フックの位置にそれぞれ対応する複数の貫通孔と、を備え、
前記電磁波遮断カバーが前記印刷回路基板に装着されると、前記フックは、前記貫通孔を貫通し且つその湾曲部の自由端が前記印刷回路基板の底面に当止され、前記フランジは、前記印刷回路基板の上面に当接し、前記印刷回路基板は、前記フランジ及び前記フックにより挟持されることを特徴とする印刷回路基板モジュール。
【請求項６】
前記フランジの底面には、複数の突起が設けられ、前記印刷回路基板には、前記突起に電気的に導通し、且つ複数の前記突起に対応する複数の窪みが設けられていることを特徴とする請求項５に記載の印刷回路基板モジュール。
【発明の詳細な説明】
【技術分野】
【０００１】
本発明は、電磁波遮断カバー及びこれを用いる印刷回路基板モジュールに関するものである。
【背景技術】
【０００２】
外界の電磁波による電子装置内部の電子部品に対する干渉、及び電子部品自体が発生した電磁波による他の電子部品に対する干渉を抑制するために、通常、印刷回路基板に電磁波遮断カバーを装着して、前記印刷回路基板に設けられた電子部品をシールドする。
【０００３】
電磁波遮断カバーを印刷回路基板に直接に溶接すると、前記電磁波遮断カバーにシールドされる電子部品をメンテナンスする際、前記電磁波遮断カバーを印刷回路基板から取り外し難い。前記問題を解決するために、前記印刷回路基板に予め複数のクリップを溶接してから、複数の前記クリップによって前記電磁波遮断カバーの側板を挟持して、前記電磁波遮断カバーを、前記印刷回路基板に被せて固定するが、前記印刷回路基板の構造が複雑になり、前記印刷回路基板の取付空間を占めるという欠点がある。
【発明の概要】
【発明が解決しようとする課題】
【０００４】
本発明は、上記の問題点を解消するためのもので、構造が簡単であり、印刷回路基板に容易に着脱することができる電磁波遮断カバー及びこれを用いる印刷回路基板モジュールを提供することを目的とする。
【課題を解決するための手段】
【０００５】
上記の目的を達成するために、本発明に係る電磁波遮断カバーは、印刷回路基板に設けられる電子部品をシールドするために用いられる。前記電磁波遮断カバーの下端には、複数のフランジ及び複数のフックが設けられ、前記フランジは、前記印刷回路基板の上面に当接し、前記フックは、前記印刷回路基板の貫通孔を貫通し且つその自由端が前記印刷回路基板の底面に当止される。
【０００６】
また、上記の目的を達成するために、本発明に係る印刷回路基板モジュールは、電磁波遮断カバー及び印刷回路基板を備える。前記電磁波遮断カバーの下端には、複数のフランジと、弾性圧縮可能な湾曲部を有する複数のフックとが設けられる。前記印刷回路基板は、対向する上面及び底面と、前記上面及び底面を貫通し且つ複数の前記フックの位置にそれぞれ対応する複数の貫通孔と、を備える。前記電磁波遮断カバーが前記印刷回路基板に装着されると、前記フックは、前記貫通孔を貫通し、且つその湾曲部の自由端が前記印刷回路基板の底面に当止される。前記フランジは、前記印刷回路基板の上面に当接する。前記印刷回路基板は、前記フランジ及び前記フックにより挟持される。
【発明の効果】
【０００７】
従来の技術と比較して、本発明は、電磁波遮断カバーの下端に複数のフランジ及び複数のフックを設け、且つ印刷回路基板に各フックに対応する貫通孔を設ける。組み立てる場合、前記フックを前記貫通孔に貫通させて、前記フックの湾曲部の自由端を前記印刷回路基板の底面に当止させると共に、前記フランジを前記印刷回路基板の上面に位置決めすることにより、前記電磁波遮断カバーを前記印刷回路基板に装着する。また、前記電磁波遮断カバーを前記印刷回路基板から取り外す場合、前記印刷回路基板の下方に位置する前記フックの湾曲部を押圧して、前記フックを前記貫通孔から離脱させればよい。従って、本発明の印刷回路基板モジュール全体の構造が簡単であり、電磁波遮断カバーを容易に取り外すことができる。
【図面の簡単な説明】
【０００８】
【図１】本発明の印刷回路基板モジュールの分解図である。
【図２】図１に示した印刷回路基板モジュールの電磁波遮断カバーを別の視点から見た図である。
【図３】図１に示した印刷回路基板モジュールが一体に組み立てられた後の断面図である。
【発明を実施するための形態】
【０００９】
図１及び図２に示したように、本発明の実施形態に係る印刷回路基板モジュール１００は、電磁波遮断カバー１０及び印刷回路基板２０を備える。前記電磁波遮断カバー１０は、前記印刷回路基板２０に着脱可能に装着され、外部からの電磁波を遮断して前記印刷回路基板２０の上面に設けられる電子部品をシールドするために用いられる。
【００１０】
前記電磁波遮断カバー１０は、矩形の主体板１２及び前記主体板１２の周縁から折り曲げられて形成される四つの側板１４を備える。前記主体板１２には、前記電磁波遮断カバー１０によってシールドされる電子部品の熱を放熱するための、複数の放熱孔１２２が設けられている。各側板１４の前記主体板１２から離れる一端には、複数のフランジ１６が間隔をあけて設けられている。各フランジ１６は、平板状体であり、前記側板１４の自由端から外側へ折り曲げられて形成され、且つ前記主体板１２に平行して延伸する。前記印刷回路基板モジュール１００を一体に組み立てた後、複数の前記フランジ１６は前記印刷回路基板２０の上面に当接する。各フランジ１６の底面には、複数の突起１６２（図２を参照）が設けられている。複数の前記突起１６２は、前記フランジ１６の上面をスタンピング（ｓｔａｍｐｉｎｇ）することによって形成され、前記フランジ１６と前記印刷回路基板２０とを電気的に導通するために用いられる。各側板１４の前記主体板１２から離れている一端には、２つのフック１８がさらに形成されている。各フック１８は、前記側板１４の自由端から下方へさらに延伸してなる延伸アーム１８２と、前記延伸アーム１８２の下端から前記主体板１２の外側に向かって湾曲され且つ前記延伸アームと一定の夾角をなす湾曲部１８４と、を備える。前記延伸アーム１８２の延在長さは、前記印刷回路基板２０の厚さより大きい。前記湾曲部１８４は、弾性を有し、外力により押圧されると、前記延伸アーム１８２と接触状態になる。外力を除去すると、前記湾曲部１８４は、前記延伸アーム１８２に対して元の状態に弾性復帰する。
【００１１】
前記印刷回路基板２０は、対向する上面２１及び底面２３を備える。前記上面２１には、複数の電子部品２１２が配置されている。電磁波干渉を防止するために、前記電磁波遮断カバー１０によって複数の前記電子部品２１２をシールドして、外部からの電磁波を遮断する。前記印刷回路基板２０には、前記上面２１及び前記底面２３を貫通し且つ前記フック１８に対応する複数の貫通孔２２が設けられる。前記フック１８が前記貫通孔２２に貫通すると、前記電磁波遮断カバー１０は前記印刷回路基板２０に係止される。各貫通孔２２は、矩形を呈し、且つその幅が前記湾曲部１８４の先端と前記延伸アーム１８２との距離より小さい。前記フック１８が前記貫通孔２２を貫通する際、前記湾曲部１８４は弾性圧縮され、前記湾曲部１８４と前記延伸アーム１８２との間の夾角は収縮される。
【００１２】
前記印刷回路基板２０の四つの側辺に沿って、複数の窪み２４が形成されている。前記フランジ１６の突起１６２を前記窪み２４に係合することにより、前記電磁波遮断カバー１０を前記印刷回路基板２０の上面に安定して位置決めする。各窪み２４の内部には、前記突起１６２と互いに当止するはんだ（図示せず）が設けられる。前記はんだと前記突起１６２とは、電気的に導通する。複数の前記窪み２４内のはんだは、電気配線２５を介して互いに電気的に導通する。前記電気配線２５は、前記印刷回路基板２０のアース回路（図示せず）に電気的に導通している。これにより、前記電磁波遮断カバー１０は前記アース回路に電気的に導通し、且つ前記電磁波遮断カバー１０に形成された静電気が適切に放電される。
【００１３】
図３に示したように、前記印刷回路基板モジュール１００を組み立てる場合、各フック１８が各貫通孔２２に対応してセットされるように前記電磁波遮断カバー１０を前記印刷回路基板２０に被せてから、前記電磁波遮断カバー１０を下方へ押圧して、前記フック１８を前記貫通孔２２に貫通させる。前記フック１８が前記貫通孔２２を貫通した後、前記湾曲部１８４が前記延伸アーム１８２に対して弾性的に展開するので、前記湾曲部１８４の自由端は前記印刷回路基板２０の底面２３に当止される。この際、複数の前記フランジ１６は前記印刷回路基板２０の上面２１にそれぞれ当接し、各フランジ１６の底面の複数の突起１６２は対応する窪み２４内に嵌合され且つ前記窪み２４内のはんだと電気的に当止される。以上により、前記印刷回路基板２０は、前記フランジ１６及び前記フック１８の湾曲部１８４により挟持される。前記電磁波遮断カバー１０は、前記印刷回路基板２０に安定して装着されて、前記電子部品２１２をシールドする。
【００１４】
前記電磁波遮断カバー１０を取り外す場合、前記印刷回路基板２０の底部から湾曲部１８４を押圧して、前記湾曲部１８４と前記延伸アーム１８２との夾角を縮小させてから、前記電磁波遮断カバー１０に向かって前記フック１８を突き上げて、前記フック１８を前記貫通孔２２から離脱させることにより、前記電磁波遮断カバー１０は前記印刷回路基板２０から取り外される。
【００１５】
本発明の実施形態によれば、前記電磁波遮断カバー１０の下端に複数のフランジ１６及び複数のフック１８を設け、且つ前記印刷回路基板２０に各フック１８に対応する貫通孔２２を設ける。組み立てる場合、前記フック１８を前記貫通孔２２に貫通させて、前記フック１８の湾曲部１８４の自由端を前記印刷回路基板２０の底面２３に当止すると共に、前記フランジ１６を前記印刷回路基板２０の上面２１に位置決めすることにより、前記電磁波遮断カバー１０を前記印刷回路基板２０に装着することができる。また、前記電磁波遮断カバー１０を前記印刷回路基板２０から取り外す場合、前記印刷回路基板２０の下方に位置する前記フック１８の湾曲部１８４を押圧して、前記フック１８を前記貫通孔２２から離脱させればよい。本発明の印刷回路基板モジュール１００は全体の構造が簡単であり、電磁波遮断カバーを容易に取り外すことができる。
【００１６】
以上、本発明の好適な実施形態について詳細に説明したが、本発明は前記実施形態に制限されるものではなく、本発明の範囲内で種々の変形又は修正が可能であり、該変形又は修正もまた、本発明の特許請求の範囲内に含まれるものであることは、いうまでもない。
【符号の説明】
【００１７】
１０              電磁波遮断カバー
１２              主体板
１４              側板
１６              フランジ
１８              フック
２０              印刷回路基板
２２              貫通孔
２３              底面
２４              窪み
２５              電気配線
１００            印刷回路基板モジュール
１２２            放熱孔
１６２            突起
１８２            延伸アーム
１８４            湾曲部
２１２            電子部品
【図１】
2012044179.tif 000003
【図２】
2012044179.tif 000004
【図３】
2012044179.tif 000005